(57)【要約】      （修正有）【課題】より簡易な構成で、直感的にズーム倍率を設定できる撮像装置及び撮像方法を提供する。【解決手段】光学系によって結像された被写体の像を映像信号に変換する撮像光学部１２と、撮像光学部が出力する映像信号を表示する表示部１３と、表示部の表示面に対応した座標を入力する座標入力部１５と、座標入力部により入力された座標を第１の座標として記録する初期座標記録部１７と、表示面における撮像光学部の撮像光軸に対応する基準点と、第１の座標と、第１の座標が記録された後に前記座標入力部により入力される第２の座標との関係に基づいてズーム倍率を算出するズーム倍率算出部２０と、被写体の像の倍率をズーム倍率に基づいて変化させる光学ズーム処理部１１とを有する。【選択図】図１
2010226642.tif 000002
【特許請求の範囲】
【請求項１】
光学系によって結像された被写体の像を映像信号に変換する撮像光学部と、
前記撮像光学部が出力する前記映像信号を表示する表示部と、
前記表示部の表示面に対応した座標を入力する座標入力部と、
前記座標入力部により入力された座標を初期座標である第１の座標として記録する初期座標記録部と、
前記表示面における前記撮像光学部の撮像光軸に対応する基準点と、前記第１の座標と、前記初期座標記録部により前記第１の座標が記録された後に前記座標入力部により入力される第２の座標との関係に基づいてズーム倍率を算出するズーム倍率算出部と、
前記被写体の像の倍率を前記ズーム倍率に基づいて変化させる光学ズーム処理部と、
を有することを特徴とする撮像装置。
【請求項２】
前記初期座標記録部は、前記座標入力部により入力された２点を対角とする長方形内に前記基準点が存在するときに、前記２点の座標を第１の座標として記録し、
前記ズーム倍率算出部は、前記第１の座標それぞれに対する２点の前記第２の座標に基づいて、前記第１の座標の各々の移動量の平均値、最大値、あるいは最小値のいずれか１つを求めてズーム倍率を算出すること
を特徴とする請求項１記載の撮像装置。
【請求項３】
光学系によって結像された被写体の像を映像信号に変換するステップと、
前記映像信号を表示部の表示面に表示するステップと、
前記表示面に対応した座標を入力するステップと、
前記表示面に対応した座標を入力するステップにより入力された前記座標を初期座標である第１の座標として記録するステップと、
前記表示面における前記光学系の撮像光軸に対応する基準点と、前記第１の座標と、前記第１の座標として記録するステップにより前記第１の座標が記録された後に、前記表示面に対応した座標を入力するステップにより入力される第２の座標との関係に基づいてズーム倍率を算出するステップと、
前記被写体の像の倍率を前記ズーム倍率に基づいて光学ズームを変化させるステップと、
を有することを特徴とする撮像方法。
【請求項４】
前記第１の座標として記録するステップは、前記表示面に対応した座標を入力するステップにより入力された２点を対角とする長方形内に前記基準点が存在するときに、前記２点の座標を前記第１の座標として記録し、
前記ズーム倍率を算出するステップは、前記第１の座標それぞれに対する２点の前記第２の座標に基づいて、前記第１の座標の各々の移動量の平均値、最大値、あるいは最小値のいずれか１つを求めてズーム倍率を算出すること
を特徴とする請求項３記載の撮像方法。
【発明の詳細な説明】
【技術分野】
【０００１】
本発明は、撮像装置において容易にズーム操作を行う撮像装置及び撮像方法に関する。
【背景技術】
【０００２】
デジタルカメラやデジタルビデオカメラなどの撮像装置において、光学ズームやデジタルズームにより被写体の像を拡大縮小する場合、一般的には、ズームスイッチなどの操作スイッチを利用してズーム倍率を変えて被写体の像を拡大縮小する。
【０００３】
特許文献１には、ズーム倍率を直感的に操作できるビデオカメラが開示されている。このビデオカメラは表示面の前面にタッチパネルを有し、利用者がタッチパネル上で２点を指定することにより、２点を対角とした選択領域を表示面に拡大することができる。これにより、ズームスイッチを用いてズーム倍率を設定する方法よりも直感的にズーム倍率を設定することが可能となる。
【０００４】
特許文献２には、ユーザがタッチパネル上で第１の円、第２の円を描くと、第１の円に対する第２の円の比率に応じて拡大縮小倍率を算出する表示装置が記載されている。この表示装置においても直感的に拡大縮小倍率や拡大縮小箇所を指定することができる。
【先行技術文献】
【特許文献】
【０００５】
【特許文献１】特開平９−１１６７９２号公報
【特許文献２】特開２０００−２０６９５６号公報
【発明の概要】
【発明が解決しようとする課題】
【０００６】
しかしながら、特許文献１に記載のビデオカメラは、タッチパネル上で指定した任意の選択領域を拡大するための撮像光軸の調整を行う機構が必要であるので、構成が大きくなり、コストもかかる。そのため、小サイズ、低コストが重要な民生用途として利用し難い。
【０００７】
また、特許文献２は、表示装置に関する技術であるため、拡大縮小処理を行う際に撮像光軸についてはまったく考慮していない。
【０００８】
本発明は、上記に鑑みてなされたものであり、より簡易な構成で、直感的にズーム倍率を設定できる撮像装置及び撮像方法を提供することを目的とする。
【課題を解決するための手段】
【０００９】
上記目的を達成するために、本発明は、次の（１）〜（４）の構成を有する撮像装置及び撮像方法を提供する。
【００１０】
（１）光学系によって結像された被写体の像を映像信号に変換する撮像光学部と、前記撮像光学部が出力する前記映像信号を表示する表示部と、前記表示部の表示面に対応した座標を入力する座標入力部と、前記座標入力部により入力された座標を初期座標である第１の座標として記録する初期座標記録部と、前記表示面における前記撮像光学部の撮像光軸に対応する基準点と、前記第１の座標と、前記初期座標記録部により前記第１の座標が記録された後に前記座標入力部により入力される第２の座標との関係に基づいてズーム倍率を算出するズーム倍率算出部と、前記被写体の像の倍率を前記ズーム倍率に基づいて変化させる光学ズーム処理部と、を有することを特徴とする撮像装置。
【００１１】
（２）前記初期座標記録部は、前記座標入力部により入力された２点を対角とする長方形内に前記基準点が存在するときに、前記２点の座標を第１の座標として記録し、前記ズーム倍率算出部は、前記第１の座標それぞれに対する２点の前記第２の座標に基づいて、前記第１の座標の各々の移動量の平均値、最大値、あるいは最小値のいずれか１つを求めてズーム倍率を算出することを特徴とする（１）記載の撮像装置。
【００１２】
（３）光学系によって結像された被写体の像を映像信号に変換するステップと、前記映像信号を表示部の表示面に表示するステップと、前記表示面に対応した座標を入力するステップと、前記表示面に対応した座標を入力するステップにより入力された前記座標を初期座標である第１の座標として記録するステップと、前記表示面における前記光学系の撮像光軸に対応する基準点と、前記第１の座標と、前記第１の座標として記録するステップにより前記第１の座標が記録された後に、前記表示面に対応した座標を入力するステップにより入力される第２の座標との関係に基づいてズーム倍率を算出するステップと、前記被写体の像の倍率を前記ズーム倍率に基づいて光学ズームを変化させるステップと、を有することを特徴とする撮像方法。
【００１３】
（４）前記第１の座標として記録するステップは、前記表示面に対応した座標を入力するステップにより入力された２点を対角とする長方形内に前記基準点が存在するときに、前記２点の座標を前記第１の座標として記録し、前記ズーム倍率を算出するステップは、前記第１の座標それぞれに対する２点の前記第２の座標に基づいて、前記第１の座標の各々の移動量の平均値、最大値、あるいは最小値のいずれか１つを求めてズーム倍率を算出することを特徴とする（３）記載の撮像方法。
【発明の効果】
【００１４】
本発明によれば、表示部の表示面における撮像光軸に対応する基準点と座標入力部が入力する表示面に対応した座標の関係に基づいてズーム倍率を算出してズーム処理を行うので、ユーザは撮影される表示面を見ながら表示面に対応させて直感的にズーム操作を行うことが可能となる。
【００１５】
また、表示面における撮像光軸に対応する基準点を考慮してズーム処理を行うため、撮像光軸の調整を行う機構は不要である。
【００１６】
以上のように、より簡易な構成で、直感的にズーム倍率を設定できる撮像装置及び撮像方法を提供できる。
【図面の簡単な説明】
【００１７】
【図１】一実施の形態における撮像装置の構成を示すブロック図である。
【図２】初期座標の入力処理の流れを示すフローチャートである。
【図３】点の移動量に基づいてズーム処理を行う動作の流れを示すフローチャートである。
【図４】ＬＣＤ表示部と入力された初期座標を示す図である。
【図５】初期座標と移動後の初期座標の点を示す図である。
【図６】初期座標と移動後の初期座標の点を移動量の平均値で補正した点を示す図である。
【図７】初期座標と移動後の初期座標の点を移動量の最大値で補正した点を示す図である。
【図８】初期座標と移動後の初期座標の点を移動量の最小値で補正した点を示す図である。
【図９】算出したズーム倍率が最大光学ズーム倍率を超えたときのＬＣＤ表示部を示す図である。
【発明を実施するための形態】
【００１８】
以下、本発明の実施の形態について図面を用いて説明する。
【００１９】
図１は、本実施の形態における撮像装置の構成を示すブロック図である。同図に示す撮像装置１は、光学ズーム処理部１１、撮像光学部１２、ＬＣＤ表示部１３、メッセージ送出部１４、座標入力部１５、初期領域判定部１６、初期座標記憶部１７、差分演算部１８、平均値算出部１９、ズーム倍率算出部２０、ズーム倍率保持部２１、デジタルズーム処理部２２、記録部２３、操作部２４、および制御部２５を有する。本実施の形態における撮像装置１は、座標入力部１５で指定された２点の移動量に基づいてズーム倍率を設定する。具体的には、ユーザがＬＣＤ表示部１３の前面に配置されたタッチパネル（座標入力部１５）に接触させた例えば親指と人差し指の間隔を広げるとズーム倍率を上げ、親指と人差し指の間隔を狭めるとズーム倍率を下げる。
【００２０】
光学ズーム処理部１１は、後述するズーム倍率算出部２０が算出したズーム倍率に基づいて撮像光学部１２の撮像レンズ位置を移動させて、光学系によって結像される被写体の像の倍率を変化させる。
【００２１】
撮像光学部１２は、撮像レンズや撮像素子を有しており、撮像レンズなどの光学系によって結像された被写体の像を撮像素子で受光し、受光した光信号を映像信号に変換する。また、被写体にレンズの焦点を合わせる等の光学的な機能を果たす。
【００２２】
ＬＣＤ表示部１３は、撮像光学部１２が撮影する映像・画像、記録部２３が記録メディアから読み出した映像・画像を表示する他にも、時間など撮影に必要な情報、メッセージ送出部１４が送出するメッセージなども表示する。
【００２３】
メッセージ送出部１４は、種々のメッセージをＬＣＤ表示部１３へ送出する。例えば、拡大処理が光学ズームの最大倍率に達した場合などに、その旨をユーザに伝えるメッセージを送出する。
【００２４】
座標入力部１５は、ズーム倍率を算出するときに利用する座標を入力するものであり、ＬＣＤ表示部１３の前面に配置されたタッチパネルを有する。座標入力部１５は、タッチパネルが押下された位置の座標を入力する。入力する座標はＬＣＤ表示部１３の表示面に対応する。
【００２５】
初期領域判定部１６は、座標入力部１５により入力された座標がズーム処理の初期値として適切であるか否かの判定を行う。初期領域判定部１６は、入力された座標が適切であると判定すると、初期座標記憶部１７に入力された座標を初期座標として記憶させる。初期座標を決定した後にズーム処理が開始される。本実施の形態では、２点の座標を入力し、入力された２点を対角とする長方形の内側に基準点が含まれている場合は、入力した２点の座標がズーム処理の初期値として適切であると判定し、その２点の座標を初期座標とする。基準点は、ＬＣＤ表示部１３の表示面の撮像光学部１２の撮像光軸に対応する点、つまり、表示面の中心点である。なお、初期領域判定部１６における入力された２点の座標がズーム処理の初期値として適切であると判定する基準は、上述の方法に限定されるものではない。例えば、入力された２点を結ぶ直線や入力された各点と基準点との距離が所定距離内にある場合に、入力した２点の座標がズーム処理の初期値として適切であると判定してもよい。また、入力された２点を結ぶ直線からそれぞれ所定距離離れ、かつ入力された２点を結ぶ直線と平行で長さの等しい２辺を有し、入力された２点を結ぶ直線を含む長方形が基準点を含む場合に、入力した２点の座標がズーム処理の初期値として適切であると判定してもよい。
【００２６】
差分演算部１８は、初期座標と座標入力部１５により入力される座標の移動差分を算出する。具体的には、ユーザが指でタッチパネルを押下し、タッチパネルを押下したまま指を移動させると、差分演算部１８は、最初に押下された位置（初期座標）と移動後の位置との移動差分を算出する。なお、本実施の形態では、初期座標として入力した２点それぞれの移動差分を算出する。
【００２７】
平均値算出部１９は、差分演算部１８が算出した移動差分の平均値を算出する。
【００２８】
ズーム倍率算出部２０は、平均値算出部１９が算出した移動差分の平均値に基づいて拡大縮小倍率を算出し、ズーム倍率保持部２１が保持する現在のズーム倍率に拡大縮小倍率を掛けて新たなズーム倍率を算出する。算出したズーム倍率のデータは光学ズーム処理部１１に供給される。
【００２９】
デジタルズーム処理部２２は、撮像光学部１２が撮影した映像・画像をトリミング処理する。
【００３０】
記録部２３は、デジタルズーム処理部２２がトリミング処理した映像・画像を磁気テープ、ＨＤＤ、磁気ディスク、メモリ、光ディスク等の記録メディアへの書き込みを行う。また、記録メディアに書き込まれた映像・画像の読み出しを行う。
【００３１】
操作部２４は、操作ボタン等を有し、撮影、再生などユーザによる操作を受け付ける。
【００３２】
制御部２５は、操作部２４が受け付けた操作内容に従って、撮影、再生、画面表示などの撮影、再生処理全般を行う。さらに、各ブロックから出力される信号を入力し、制御信号を各ブロックへ出力して各ブロックを制御するとともに、各種データの読み込み、転送を行う。
【００３３】
次に、本実施の形態における撮像装置のズーム処理について説明する。図２，３は、撮像装置１がユーザの入力に基づいてズーム処理を行う動作の流れを示すフローチャートである。図２は、ズーム倍率算出の基準となる初期座標の入力処理の流れを示すフローチャートであり、図３は、初期座標として入力された点の移動量に基づいてズーム処理を行う動作の流れを示すフローチャートである。
【００３４】
まず、座標入力部１５のタッチパネルが押下されたか否かを判定し（ステップＳ２０１）、さらに、タッチパネルの２点が押下されているか否かを判定する（ステップＳ２０２）。タッチパネルが押下されていない場合（ステップＳ２０１，Ｎｏ）、あるいは、２点が押下されていない場合（ステップＳ２０２，Ｙｅｓ）は、ステップＳ２０１に戻り、タッチパネルの２点が押下されるのを待つ。タッチパネルの２点が押下されている場合は、押下されている２点の座標を取得する（ステップＳ２０３）。
【００３５】
図４に、ＬＣＤ表示部１３と入力された２点Ｐ１，Ｐ２を示す。タッチパネルはＬＣＤ表示部１３の前面に配置されており、座標入力部１５は、タッチパネルが押下された位置に対応するＬＣＤ表示部１３の表示領域１３１の座標を入力された座標として取得する。例えば、入力される座標は、表示領域１３１の左上を基準とし、右に行くほどｘ座標が増加し、下に行くほどｙ座標が増加するものである。
【００３６】
続いて、取得した２点の座標についてズーム処理が可能な初期条件を満たすか否かを判定する（ステップＳ２０４）。本撮像装置１は撮像光軸の調整を行う機構を備えないので、任意の場所を中心としたズーム処理を行うことはできず、表示領域１３１における撮像光軸に対応する基準点Ｃがズーム処理の中心となる。そこで、初期領域判定部１６は、入力された２点Ｐ１（ｘ１，ｙ１），Ｐ２（ｘ２，ｙ２）を対角とする長方形の内側に基準点Ｃが含まれているか否かを判定する。
【００３７】
取得した２点Ｐ１，Ｐ２が初期条件を満たしていれば、２点Ｐ１，Ｐ２の座標を初期座標として初期座標記憶部１７に格納する（ステップＳ２０５）。そして、図３のステップＳ３０１に進みズーム処理を開始する。つまり、ユーザは、表示領域１３１の中心点である基準点Ｃを挟むような２点を押下することでズーム処理を開始することができる。
【００３８】
続いて、図３を参照し、ズーム処理の動作の流れについて説明する。
【００３９】
初期座標を取得した後、タッチパネルを押下している位置が初期位置から移動していることを認識するために、規定時間ｔが経過したか否かを判定する（ステップＳ３０１）。そして、規定時間ｔ経過後に、座標が入力されているか否か、つまり、まだタッチパネルが押下されているか否かを判定する。（ステップＳ３０２）。タッチパネルが押下されていなければズーム処理を終了する。
【００４０】
タッチパネルが押下されている場合、押下されている２点の座標を取得し（ステップＳ３０３）、取得した２点の座標と初期座標記憶部１７に格納された初期座標とを比較する（ステップＳ３０４）。取得した２点の座標と初期座標に違いが無い場合は、ステップＳ３０３に戻る。所定の時間待ってからステップＳ３０３に戻るものでもよいし、ステップＳ３０１、あるいは、ステップＳ３０２に戻るものでもよい。
【００４１】
取得した２点の座標が初期座標から移動している場合、つまり、タッチパネルを押下している位置が移動している場合、差分演算部１８は、取得した２点の座標と初期座標との差分から座標の移動量を求める（ステップＳ３０５）。図５に、初期座標の点Ｐ１，Ｐ２と移動後の点Ｐ１’，Ｐ２’を示す。図５では、点Ｐ１（ｘ１，ｙ１）は点Ｐ１’（ｘ１’，ｙ１’）に移動し、点Ｐ２（ｘ２，ｙ２）は点Ｐ２’（ｘ２’，ｙ２’）に移動している。差分演算部１８は、点Ｐ１と点Ｐ１’の差分と点Ｐ２と点Ｐ２’の差分を求め、点Ｐ１，Ｐ２の移動量Ｌ１，Ｌ２を求める。
【００４２】
そして、平均値算出部１９が、求めた移動量Ｌ１，Ｌ２の平均を算出し（ステップＳ３０６）、ズーム倍率算出部２０が、平均値算出部１９より算出された平均移動量に基づいて拡大縮小倍率を求め、その拡大縮小倍率にズーム倍率保持部２１が保持する現在のズーム倍率を掛け合わせて新たなズーム倍率を算出する（ステップＳ３０７）。タッチパネルが押下されている位置のそれぞれが基準点Ｃから遠ざかる場合はズーム倍率を上げ、近づく場合はズーム倍率を下げる。
【００４３】
そして、ズーム倍率算出部２０により算出されたズーム倍率が処理可能なズーム倍率の範囲内であるか否かを判定し（ステップＳ３０８）、ズーム倍率算出部２０により算出されたズーム倍率が処理可能なズーム倍率の範囲内である場合は、撮像光学部１２がそのズーム倍率まで光学ズーム処理を行い（ステップＳ３０９）、ステップＳ３０１に戻って次の座標の入力を受け付け、タッチパネルから指が離れるまで上記のズーム処理を繰り返す。
【００４４】
一方、算出したズーム倍率が最大光学ズーム倍率を超える場合または最小光学ズーム倍率を下回る場合は、処理可能な最大光学ズーム倍率または最小光学ズーム倍率まで光学ズーム処理を行い（ステップＳ３１０）、メッセージ送出部１４がこれ以上ズームをすることができない旨のメッセージを送出し（ステップＳ３１１）、ズーム処理を終了する。
【００４５】
次に、移動量の算出について説明する。図５に示すように、点Ｐ１（ｘ１，ｙ１），Ｐ２（ｘ２，ｙ２）が初期座標と入力され、点Ｐ１，Ｐ２がそれぞれ点Ｐ１’（ｘ１’，ｙ１’），Ｐ２’（ｘ２’，ｙ２’）に移動したとする。点Ｐ１，Ｐ２それぞれの移動量Ｌ１，Ｌ２は次式により求める。
【数１】
2010226642.tif 000003
【００４６】
続いて、平均移動量、拡大縮小倍率の算出について説明する。本撮像装置１は、点Ｐ１，Ｐ２の移動量Ｌ１，Ｌ２が異なるときは、移動量Ｌ１，Ｌ２の平均移動量Ｌ３を求めて拡大縮小倍率を算出する。平均移動量Ｌ３は次式により求める。
【数２】
2010226642.tif 000004
【００４７】
そして、点Ｐ１，Ｐ２をそれぞれ点Ｐ１’，Ｐ２’の方向に平均移動量Ｌ３移動させた点Ｐ３（ｘ３，ｙ３），Ｐ４（ｘ４，ｙ４）を求める。点Ｐ３，Ｐ４は、次式を満たす位置に設定する。図６に点Ｐ３，Ｐ４の位置を示す。
【数３】
2010226642.tif 000005
【００４８】
そして、点Ｐ１，Ｐ２を対角とする長方形が点Ｐ３，Ｐ４を対角とする長方形の大きさに拡大されるように拡大縮小倍率を設定する。新たなズーム倍率は、現在のズーム倍率に拡大縮小倍率を掛けて算出する。
【００４９】
本実施の形態では、移動量Ｌ１，Ｌ２の平均値を用いてズーム倍率を設定したが、移動量Ｌ１，Ｌ２の最大値、あるいは最小値を用いてもよい。以下、それぞれについて説明する。
【００５０】
図７は、移動量Ｌ１，Ｌ２の最大値を用いて拡大縮小倍率を設定するときの様子を示す図である。点Ｐ１の移動量Ｌ１より点Ｐ２の移動量Ｌ２が大きい場合、点Ｐ１を点Ｐ１’の方向に移動量Ｌ２移動させた点Ｐ３（ｘ３，ｙ３）を求める。点Ｐ４は点Ｐ２’と同じ位置である。点Ｐ３は、次式を満たす位置に設定する。
【数４】
2010226642.tif 000006
【００５１】
そして、点Ｐ１，Ｐ２を対角とする長方形が点Ｐ３，Ｐ４を対角とする長方形の大きさに拡大されるように拡大縮小倍率を設定する。
【００５２】
図８は、移動量Ｌ１，Ｌ２の最小値を用いて拡大縮小倍率を設定するときの様子を示す図である。点Ｐ１の移動量Ｌ１が点Ｐ２の移動量Ｌ２より小さい場合、点Ｐ２を点Ｐ２’の方向に移動量Ｌ１移動させた点Ｐ４（ｘ４，ｙ４）を求める。点Ｐ３は点Ｐ１’と同じ位置である。点Ｐ４は、次式を満たす位置に設定する。
【数５】
2010226642.tif 000007
【００５３】
そして、点Ｐ１，Ｐ２を対角とする長方形が点Ｐ３，Ｐ４を対角とする長方形の大きさに拡大されるように拡大縮小倍率を設定する。
【００５４】
図９は、算出したズーム倍率が最大光学ズーム倍率を超えたときのＬＣＤ表示部を示す図である。タッチパネルが押下されている位置が移動した結果、光学ズーム可能領域１３２を超えた場合には、メッセージ送出部１４がこれ以上光学ズームでは拡大できない旨のメッセージを送出し、ＬＣＤ表示部１３は、メッセージ領域１３３にそのメッセージを表示する。
【００５５】
上記では、タッチパネル上で押下された２点の移動に基づいてズーム倍率を算出したが、タッチパネル上で押下された１点の移動に基づいてズーム倍率を算出することもできる。
【００５６】
ユーザがタッチパネルの１点を押下し、その押下した位置を移動させた場合、その移動が、表示領域１３１における撮像光軸に対応する基準点Ｃから遠ざかるときはズーム倍率を上げ、近づくときはズーム倍率を下げる。ズーム倍率は、２点の場合と同様に、押下した位置の移動量に基づいて算出する。
【００５７】
したがって、本実施の形態によれば、ＬＣＤ表示部１３の前面に配置されたタッチパネルが押下された位置の移動量に基づいてズーム処理を行うことにより、ユーザは、直感的にズーム操作を行うことが可能となる。また、表示領域１３１における撮像光軸に対応する基準点Ｃを基準とすることで、ズーム倍率を上げるのか、あるいは、ズーム倍率を下げるのかを、タッチパネルが押下された位置の移動方向に基づいて判断できる。
【００５８】
本実施の形態によれば、タッチパネル上で押下された２点によりズーム処理を行うことにより、基準点Ｃを挟んだ２点が押下されたことを検出することでズーム処理を開始することができる。これにより、ユーザは、ズームボタン等の操作ボタンを押さなくてもズーム処理を開始することができる。
【符号の説明】
【００５９】
１…撮像装置
１１…光学ズーム処理部
１２…撮像光学部
１３…ＬＣＤ表示部
１４…メッセージ送出部
１５…座標入力部
１６…初期領域判定部
１７…初期座標記憶部
１８…差分演算部
１９…平均値算出部
２０…ズーム倍率算出部
２１…ズーム倍率保持部
２２…デジタルズーム処理部
２３…記録部
２４…操作部
２５…制御部
１３１…表示領域
１３２…光学ズーム可能領域
１３３…メッセージ領域
【図１】
2010226642.tif 000008
【図２】
2010226642.tif 000009
【図３】
2010226642.tif 000010
【図４】
2010226642.tif 000011
【図５】
2010226642.tif 000012
【図６】
2010226642.tif 000013
【図７】
2010226642.tif 000014
【図８】
2010226642.tif 000015
【図９】
2010226642.tif 000016